【手続補正書】
【提出日】平成17年9月29日(2005.9.29)
【手続補正１】
【補正対象書類名】特許請求の範囲
【補正対象項目名】全文
【補正方法】変更
【補正の内容】
【特許請求の範囲】
【請求項１】
医療用カテーテル装置であって、以下の：
入口オリフィス；
出口オリフィス；
該入口オリフィスと該出口オリフィスとを結合する通路；及び
該通路を取り囲む壁
を有する第1カテーテルを含み、ここで、
該入口オリフィスの初期基準点から該出口オリフィスに向かって移動すると考えた場合、該通路を取り囲む該壁の硬度が減少し、次いで増大し、次いで再び減少することを特徴とする、前記医療用カテーテル装置。
【請求項２】
該第1カテーテル内部に配置された第2カテーテルをさらに含み、該第2カテーテルが該第1カテーテル内部で移動するのを可能にするように、該第1カテーテルが寸法設定されている、請求項１に記載の医療用カテーテル装置。
【請求項３】
該第2カテーテル内部に配置された第3カテーテルをさらに含み、該第3カテーテルが該第2カテーテル内部で移動するのを可能にするように、該第2カテーテルが寸法設定されている、請求項２に記載の医療用カテーテル装置。
【請求項４】
該第2カテーテルが複数のフラッシング・オリフィスを有しており、該第2カテーテルの外側表面から該第2カテーテルの内側表面に流体が通過するのを可能にするように、該フラッシング・オリフィスが寸法設定されている、請求項２に記載の医療用カテーテル装置。
【請求項５】
該第2カテーテルが、曲げ可能な湾曲記憶部分を有している、請求項２に記載の医療用カテーテル装置。
【請求項６】
該第2カテーテルの該曲げ可能な湾曲記憶部分が、紫外線によって活性化される架橋ポリマーを含有している、請求項５に記載の医療用カテーテル装置。
【請求項７】
該第2カテーテルの該曲げ可能な湾曲記憶部分が、第1の硬度を有する外層と、第2の硬度を有する内層とを含有しており、該第2の硬度が該第1の硬度よりも高い、請求項５に記載の医療用カテーテル装置。
【請求項８】
該第2カテーテルが、第1の硬度を有する外層と、第2の硬度を有する内層とを含有しており、該第2の硬度が該第1の硬度よりも高い、請求項５に記載の医療用カテーテル装置。
【請求項９】
医療用カテーテル装置であって、以下の：
入口オリフィス；
出口オリフィス；及び
該入口オリフィスと該出口オリフィスとを結合する通路を取り囲む第1の壁
を有する第1カテーテルを含み、該第1の壁が、曲げ可能な湾曲記憶部分を有することを特徴とする、前記医療用カテーテル装置。
【請求項１０】
該曲げ可能な湾曲記憶部分が所定の形状に曲げられる、請求項９に記載の医療用カテーテル装置。
【請求項１１】
該第1の壁が補強構造を含有している、請求項９に記載の医療用カテーテル装置。
【請求項１２】
該第1のカテーテルの内側表面が滑性処理を含んでいる、請求項９に記載の医療用カテーテル装置。
【請求項１３】
請求項９に記載の医療用カテーテル装置であって、さらに以下の：
該第1カテーテルを取り囲む第2カテーテルを含み、ここで、
該第2カテーテルが、入口オリフィス、出口オリフィス、及び該第2カテーテルの該入口オリフィスと該出口オリフィスとを結合する第2の通路を取り囲む第2の壁とを有しており、
該入口オリフィスの初期基準点から該出口オリフィスに向かって移動すると考えた場合、該第2カテーテルの該通路を取り囲む該第2の壁の硬度が減少し、次いで増大し、次いで再び減少することを特徴とする、前記医療用カテーテル装置。
【請求項１４】
該第1カテーテルが、該第1の壁を貫通するフラッシング・オリフィスを有しており、該第1の壁の外側表面と該第1の壁の内側表面との間をフラッシング流体が通過するのを可能にするように、該フラッシング・オリフィスが寸法設定されている、請求項９に記載の医療用カテーテル装置。
【請求項１５】
該第1カテーテルが、第1の硬度を有する外層と、第2の硬度を有する内層とを有しており、該第2の硬度が該第1の硬度よりも高い、請求項９に記載の医療用カテーテル装置。
【請求項１６】
該第1カテーテルがさらに第3の層を含み、該第3の層が該内層の内側に配置されており、該第3の層の硬度が、該第2の層の硬度よりも高い、請求項１５に記載の医療用カテーテル装置。
【請求項１７】
医療用カテーテル装置であって、以下の：
外側カテーテル；
内側カテーテル；及び
フラッシングライン
を含み、ここで、
該内側カテーテルが、該外側カテーテルの少なくとも一部の内部に運動可能に嵌るように寸法設定されており、
該内側カテーテルが、該内側カテーテルの第1の壁を貫通するフラッシング・オリフィスを有しており、
該第1の壁の外側表面と該第1の壁の内側表面との間をフラッシング流体が通過するのを可能にするように、該フラッシング・オリフィスが寸法設定されており、
該フラッシングラインが、該フラッシング・オリフィスに接続されている
ことを特徴とする、前記医療用カテーテル装置。
【請求項１８】
請求項１７に記載の医療用カテーテル装置であって、該外側カテーテルが、入口オリフィス、出口オリフィス、該入口オリフィスと該出口オリフィスとを結合する通路、及び該通路を取り囲む第2の壁とを有しており、該入口オリフィスの初期基準点から該出口オリフィスに向かって移動すると考えた場合、該通路を取り囲む該第2の壁の硬度が減少し、次いで増大し、次いで再び減少する、前記医療用カテーテル装置。
【請求項１９】
該内側カテーテルが、曲げ可能な湾曲記憶部分を有している、請求項１７に記載の医療用カテーテル装置。
【請求項２０】
該内側カテーテルの該曲げ可能な湾曲記憶部分が、紫外線によって活性化される架橋ポリマーを含有している、請求項１９に記載の医療用カテーテル装置。
【請求項２１】
該内側カテーテルが、第1の硬度を有する外層と、第2の硬度を有する内層とを含有しており、該第2の硬度が該第1の硬度よりも高い、請求項１７に記載の医療用カテーテル装置。
【請求項２２】
該内側カテーテルがさらに第3の層を含み、該第3の層が該第2の層の内側に配置されており、該第3の層の硬度が、該第2の層の硬度よりも高い、請求項２１に記載の医療用カテーテル装置。
【請求項２３】
医療用カテーテル装置であって、以下の：
内層と外層とを有する第1カテーテルを含み、ここで、該内層が第1の硬度を有し、該外層が第2の硬度を有しており、該第1の硬度が該第2の硬度よりも高い、前記医療用カテーテル装置。
【請求項２４】
該内層が補強部材を含有している、請求項２３に記載の医療用カテーテル装置。
【請求項２５】
該内層が滑性処理を含んでいる、請求項２３に記載の医療用カテーテル装置。
【請求項２６】
請求項２３に記載の医療用カテーテル装置であって、さらに以下の：
該第1カテーテルの一部を取り囲む第2カテーテルを含み、ここで、
該第2カテーテルが、入口オリフィス、出口オリフィス、該入口オリフィスと該出口オリフィスとを結合する通路、及び該通路を取り囲む第2の壁とを有しており、
該第2カテーテルの該入口オリフィスの初期基準点から該第2カテーテルの該出口オリフィスに向かって移動すると考えた場合、該通路を取り囲む該第2の壁の硬度が減少し、次いで増大し、次いで再び減少することを特徴とする、前記医療用カテーテル装置。
【請求項２７】
該第1カテーテルが、該内層と該外層とを貫通するフラッシング・オリフィスを有しており、該外層の外側表面と該内層の内側表面との間をフラッシング流体が通過するのを可能にするように、該フラッシング・オリフィスが寸法設定されている、請求項２３に記載の医療用カテーテル装置。